(57)【要約】【課題】ＬＥＤ光による美顔と、帯電粒子から得られる効果の両立を実現できる美顔器を実現すること。【解決手段】美顔器（１０１）は、異なるピーク波長を有するＬＥＤ（３１）を複数種類備え、各ＬＥＤ（３１）を所定の位置に配置したＬＥＤ照射部（３）と、ＬＥＤ照射部（３）のＬＥＤ光照射面側から放出するイオンを発生するイオン発生装置（４）と、を備えている。【選択図】図１
2020146164.tif 000002
【特許請求の範囲】
【請求項１】
顔に対向させて使用する電気機器であって、
顔に対向する対向面を有する顔対向部と、
前記対向面側から帯電粒子を放出する帯電粒子発生装置と、
を備えていることを特徴とする電気機器。
【請求項２】
前記対向面に、前記顔に向けて光を照射する光照射部を備え、
前記光照射部の載置場所以外の前記対向面に、前記帯電粒子発生装置から発生した帯電粒子を吹き出す吹出口が形成されていることを特徴とする請求項１に記載の電気機器。
【請求項３】
前記吹出口は、顔の目が対向する位置を含むように前記対向面に形成されていることを特徴とする請求項２に記載の電気機器。
【請求項４】
前記帯電粒子発生装置はイオン発生装置であって、
プラスイオンとマイナスイオンとを発生するイオン発生部と、
前記イオン発生部が発生したプラスイオンとマイナスイオンを風に乗せて運ぶための送風路とを備え、
前記送風路は、前記プラスイオンを送風するための送風路と前記マイナスイオンを送風するための送風路とに分けられていることを特徴とする請求項２または３に記載の電気機器。
【請求項５】
請求項２〜４の何れか１項に記載の電気機器は美顔器であって、
前記光照射部は、異なるピーク波長を有するＬＥＤを複数種類備え、かつ、
前記各ＬＥＤを所定の位置に配置したＬＥＤ照射部であり、
前記対向面は、前記ＬＥＤ照射部のＬＥＤ光照射面である、
ことを特徴とする美顔器。
【請求項６】
異なるピーク波長を有するＬＥＤを複数種類備えた美顔器であって、
前記各ＬＥＤを所定の位置に配置したＬＥＤ照射部と、
前記ＬＥＤ照射部のＬＥＤ光照射面側から帯電粒子を放出する帯電粒子発生装置と、
を備えていることを特徴とする美顔器。
【請求項７】
前記ＬＥＤ照射部のＬＥＤの載置場所以外に、前記帯電粒子発生装置から発生した帯電粒子を吹き出す吹出口が形成されていることを特徴とする請求項６に記載の美顔器。
【発明の詳細な説明】
【技術分野】
【０００１】
本発明は、顔に対向させて使用する電気機器に関し、例えば、ＬＥＤ（light emitting diode:発光ダイオード）を用いた美顔器に関する。
【背景技術】
【０００２】
例えば顔に対向させて使用する電気機器として特許文献１に、ＬＥＤを用いた美顔器が開示されている。
【先行技術文献】
【特許文献】
【０００３】
【特許文献１】特開２０１１−９８２０７号公報
【発明の概要】
【発明が解決しようとする課題】
【０００４】
しかしながら、従来の美顔器では、ＬＥＤ光を顔に照射することで美顔機能を実現しているのみであった。
【課題を解決するための手段】
【０００５】
上記の課題を解決するために、本発明の一態様に係る電気機器は、顔に対向させて使用する電気機器であって、顔に対向する対向面を有する顔対向部と、前記対向面側から帯電粒子を放出する帯電粒子発生装置と、を備えていることを特徴としている。
【０００６】
また、本発明の一態様に係る美顔器は、異なるピーク波長を有するＬＥＤを複数種類備えた美顔器であって、前記各ＬＥＤを所定の位置に配置したＬＥＤ照射部と、前記ＬＥＤ照射部のＬＥＤ光照射面側から帯電粒子を放出する帯電粒子発生装置と、を備えていることを特徴としている。
【発明の効果】
【０００７】
本発明の一態様の電気機器によれば、顔対向面に顔を対向させることで得られる効果と帯電粒子から得られる効果の両立を実現できる。
【０００８】
本発明の一態様の美顔器によれば、ＬＥＤ光による美顔と、帯電粒子から得られる効果の両立を実現できる。
【図面の簡単な説明】
【０００９】
【図１】本発明の実施形態１に係る美顔器の斜視図である。
【図２】図１に示す美顔器の（ａ）は正面図、（ｂ）は側面図、（ｃ）は上面図、（ｄ）は（ａ）のＸＸ線矢視断面図である。
【図３】図１に示す美顔器のＬＥＤ照射部における各色のＬＥＤの配置例を示す図である。
【図４】図１に示す美顔器が備えるイオン発生装置の外観を示す斜視図である。
【図５】図４に示すイオン発生装置の（ａ）は背面図、（ｂ）は（ａ）のＹＹ線矢視断面図、（ｃ）は側面図である。
【図６】本発明の実施形態２に係る美顔器の斜視図である。
【図７】図６に示す美顔器の（ａ）は正面図、（ｂ）は側面図、（ｃ）は上面図、（ｄ）は（ａ）のＺ１Ｚ１線矢視断面図である。
【図８】本発明の実施形態３に係る美顔器の斜視図である。
【図９】図８に示す美顔器の（ａ）は正面図、（ｂ）は側面図、（ｃ）は上面図、（ｄ）は（ａ）のＺ２Ｚ２線矢視断面図、（ｅ）は（ａ）のＺ３Ｚ３線矢視断面図である。
【図１０】図８に示す美顔器に備えられたイオン発生装置の外観を示す斜視図である。
【図１１】図１０に示すイオン発生装置の（ａ）は上面図、（ｂ）は正面図である。
【発明を実施するための形態】
【００１０】
後述する各実施形態においては、電気機器としての一例である美顔器を用いて説明する。また、帯電粒子発生装置の一例としてイオン発生装置を用いて説明する。なお、帯電粒子発生装置は、イオン発生装置に限定されるものではなく、放電により、イオン、電子、オゾン、ラジカル、活性種などを発生させる放電装置であればよい。また、帯電粒子発生装置がイオンを発生させる場合は、プラスイオンとマイナスイオンの両方を発生させる構成であっても、プラスイオンあるいはマイナスイオンの何れか一方を発生させる構成であってもよい。
【００１１】
〔実施形態１〕
以下、本発明の一実施形態について、詳細に説明する。
【００１２】
（美顔器の概要）
図１は、本実施形態に係る美顔器の斜視図である。図２は、図１に示す美顔器の（ａ）正面図、（ｂ）側面図、（ｃ）上面図、（ｄ）（ａ）のＸＸ線矢視断面図である。
【００１３】
美顔器１０１は、図１に示すように、装置本体を構成する筐体１、筐体１を支持する脚部２を備えている。筐体１の正面１ａにはＬＥＤ照射部３が設けられ、背面１ｂにはイオン発生装置４が設けられている。また、美顔器は、商用電源に図示しない電源コードを接続して使用する。なお、バッテリーにより駆動する構造であってもよい。
【００１４】
ＬＥＤ照射部３は、標準的な人の顔の大きさに合わせた大きさであり、表面に複数のＬＥＤ３１が配置されている。配置されるＬＥＤ３１は、美顔に効果的なピーク波長を有するものである。ＬＥＤ３１の詳細については後述する。
【００１５】
ＬＥＤ照射部３の中央部、人の目に相当する部分には、ＬＥＤ３１が配置されておらず、代わりに２つの開口部３ａ・３ａが形成されている。開口部３ａから、筐体１の背面１ｂ側に設けられたイオン発生装置４が発生するイオンを排出するようになっている。
【００１６】
イオン発生装置４は、脚部２側に配置された送風ファン４１からの風によってイオン発生部４２で発生したプラスイオンおよびマイナスイオンを送風路４３によって運び、当該送風路４３の排出口４３ａに連通したＬＥＤ照射部３の開口部３ａから排出する。ここで、２つの開口部３ａからは、それぞれ異なる極性のイオンが別々に排出される。つまり、一方の開口部３ａからはプラスイオン、他方の開口部３ａからはマイナスイオンが排出される。なお、イオン発生装置４の詳細については後述する。
【００１７】
筐体１は、正面１ａに設けられたＬＥＤ照射部３の大きさを考慮して縦横のサイズが設定されている。ＬＥＤ照射部３の大きさは、一般的な人の顔の大きさを考慮して設定される。例えば、筐体１の正面１ａのサイズは、横の長さＡが１９０ｍｍ、縦の長さＢが２３０ｍｍとなる。但し、各サイズは一例であり、これらのサイズに限定されるものではない。
【００１８】
脚部２は、筐体１の背面１ｂの下方に設けられた２枚の板状部材からなる。２枚の板状部材の間の距離については特に限定しないが、当該２枚の板状部材の間に介在するイオン発生装置４の幅よりも大きくすることが好ましい。このように、２枚の板状部材の間の距離がイオン発生装置４の幅よりも大きければ、当該２枚の板状部材を、筐体１側を支点として回転自在とすることで、筐体１の背面１ｂ側に回転させて脚部２を収容した状態とすれば、美顔器１０１をコンパクトにできる。コンパクトにした美顔器１０１は持ち運びも容易になる。なお、このとき、脚部２は、イオン発生装置４と接触しない形状となっていることが好ましい。このようにすることで、美顔器１０１をよりコンパクトにすることができる。
【００１９】
上記構成の美顔器１０１は、図１の（ａ）に示すように、脚部２をテーブル（図示せず）に載置した状態で、ＬＥＤ照射部３側に顔を近づけることで、当該ＬＥＤ照射部３の各ＬＥＤ３１が照射するＬＥＤ光を顔に照射することができる。このとき、ＬＥＤ照射部３の２つの開口部３ａ・３ａからは、それぞれプラスイオン、マイナスイオンが排出される。これにより、ＬＥＤ光による美顔効果に加えて、プラスイオンおよびマイナスイオンによる保湿効果も得られる。
【００２０】
（ＬＥＤ照射部の説明）
ＬＥＤ３１ａは、ピーク波長が４１５ｎｍの紫色光を発光する紫色ＬＥＤであり、ニキビ菌対策として用いられる。すなわち、ピーク波長が４１５ｎｍの紫色光は、ニキビ菌に吸収され易いため、当該紫色光を肌の所定の位置に照射することで、照射位置に存在するニキビ菌を死滅させることができる。
【００２１】
ＬＥＤ３１ｂは、ピーク波長が４５５ｎｍの青色を発光する青色ＬＥＤであり、気分の低下を抑制し不快さを低減する効果が得られる。また、ＬＥＤ３１ｂは、ＬＥＤ３１ａに隣接して配置することで、ＬＥＤ３１ｂおよびＬＥＤ３１ａが配置されていることを使用者に知らせ易くしている。
【００２２】
ＬＥＤ３１ｃは、ピーク波長が６３０ｎｍの赤色光を発光する赤色ＬＥＤであり、コラーゲン生成を促進させるために用いられる。すなわち、ピーク波長が６３０ｎｍの赤色光は、繊維芽細胞に働きかけコラーゲン生成を促進する。従って、ＬＥＤ３１ｃが発光する赤色光を肌に照射することで、当該肌内のコラーゲン生成を促進させることができる。
【００２３】
ＬＥＤ３１ｄは、ピーク波長が８４０ｎｍの赤外光を発光する赤外ＬＥＤであり、血行促進対策として用いられる。すなわち、ピーク波長が８４０ｎｍの光は、赤外領域の光であり、皮膚深くまで浸透することで、血行促進させることができる。
【００２４】
ＬＥＤ照射部３において、各波長のＬＥＤ３１は、上記の効果効能を考慮して配置数および配置位置が設定される。ＬＥＤ３１の配置についての詳細は後述する。
【００２５】
（イオン発生装置４）
図４は、イオン発生装置４の外観を示す斜視図である。図５は、図４に示すイオン発生装置４の（ａ）は背面図、（ｂ）は（ａ）のＹＹ線矢視断面図、（ｃ）は側面図である。
【００２６】
イオン発生装置４は、シロッコファンからなる送風ファン４１、プラスイオンとマイナスイオンを発生するイオン発生部４２、イオン発生部４２の２つの電極４２ａで発生したプラスイオンおよびマイナスイオンを送風ファン４１からの風に乗せて運ぶ送風路４３を有する。送風路４３の排出口４３ａは、ＬＥＤ照射部３の開口部３ａに連通しており、当該開口部３ａからイオン発生装置４にて発生したイオンが排出されるようになっている。送風路４３は、イオン発生部４２の電極４２ａよりも下流側（イオン排出側）で、送風路が２つに分離されている。つまり、イオン発生部４２の電極４２ａで発生したプラスイオンを送風する送風路と、マイナスイオンを送風する送風路とを分離して設けている。そして、ＬＥＤ照射部３の２つの開口部３ａからは、それぞれ異なる極性のイオンが別々に排出される。つまり、一方の開口部３ａからはプラスイオン、他方の開口部３ａからはマイナスイオンが排出される。
【００２７】
ここで、２つの電極４２ａの一方をマイナスイオン発生素子、他方をプラスイオン発生素子とした場合、マイナスイオン発生素子及びプラスイオン発生素子は、空気中の水蒸気をプラズマ放電にてイオン化することにより、プラスイオンとしてのＨ＋（Ｈ２Ｏ）ｎ（ｎは任意の自然数）と、マイナスイオンとしてのＯ２−（Ｈ２Ｏ）ｍ（ｍは任意の自然数）とを発生する。そして、これらが化学反応することにより、活性種である過酸化水素（Ｈ２Ｏ２）及び／又は水酸基ラジカル（・ＯＨ）が生成され、空気中の浮遊細菌や浮遊ウイルス等が除去されるようになり、さらに保湿効果も奏する。
【００２８】
従って、上記のように、美顔器１０１がＬＥＤ照射部３のＬＥＤ光照射面側から放出するイオンを発生するイオン発生装置４を備えることで、ＬＥＤ光が照射される利用者の顔の付近にイオンを吹き出すことが可能となる。これにより、イオンを浴びている利用者の周囲の空気中の浮遊細菌や浮遊ウイルス等が除去され、且つ、顔の肌の保湿を行うことができるという効果を奏する。また、静電気抑制効果も得られる。
【００２９】
また、イオン発生装置４が発生したプラスイオンとマイナスイオンを風に乗せて運ぶための送風路４３が、プラスイオンを送風するための送風路とマイナスイオンを送風するための送風路とに分けられている。これにより、イオン発生部４２で発生したプラスイオンとマイナスイオンが混じることなく、ＬＥＤ照射部３から放出される。このように、プラスイオンとマイナスイオンは、送風路４３内で混合されることがないので、各イオンのイオン量を低減させることなく、ＬＥＤ照射部３から放出できる。
【００３０】
なお、本実施形態においては、ＬＥＤ光を瞼等の薄い皮膚に直接照射を避けるため、ＬＥＤ照射部３の顔の目に相当する位置にはＬＥＤ３１を配置していない。このＬＥＤを配置していない場所（ＬＥＤ照射部３の開口部３ａ）からイオンを吹き出すようにすれば、顔全体にイオンを吹き付けることが可能となる。なお、本実施形態では、プラスイオン排出用とマイナスイオン排出用とに分けて、２つの開口部３ａを形成している。このほうが、プラスイオンとマイナスイオンとが混合しにくいため、好ましいが、送風路４３内でプラスイオン、マイナスイオンの送風路が分けられていればよく、開口部３ａは一つであってもよい。
【００３１】
このように、顔（好ましくは顔全体）にイオンを吹き付けることが可能な場所にイオンの吹出口を形成すればよい。つまり、ＬＥＤ照射部３のＬＥＤ３１の載置場所以外に、イオン発生部４２から発生したイオンを吹き出す吹出口が形成されていればよい。
【００３２】
しかも、送風ファン４１は、シロッコファンであることで、美顔器１０１を薄型にすることが可能となる。つまり、シロッコファンは、送風方向に直交する方向の厚みが薄いため、美顔器１０１の筐体１の背面１ｂに送風方向に直交する面を接触させて配置することで、美顔器１０１の背面に送風ファン４１を設けた場合であっても当該美顔器１０１を薄型にすることが可能となる。
【００３３】
また、送風ファン４１がシロッコファンであることで、当該送風ファン４１を筐体１の背面１ｂの下端に配置することが可能となる。これにより、イオン発生装置４を構成する部材のうち、重量のある送風ファン４１を下端に設けることで、美顔器１０１を脚部２を用いて立てた場合の設置安定性を向上させることができる。
【００３４】
以下の実施形態２では、前記実施形態１の開口部３ａの形成位置と異なる例について説明する。
【００３５】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３６】
（美顔器の概要）
図６は、本実施形態に係る美顔器の斜視図である。図７は、図６に示す美顔器の（ａ）正面図、（ｂ）側面図、（ｃ）上面図、（ｄ）（ａ）のＺ１Ｚ１線矢視断面図である。
【００３７】
美顔器１０２は、前記実施形態１の美顔器１０１とほぼ同じ構成であるが、イオンの吹出し位置が異なるイオン発生装置５を備えている点で異なる。すなわち、イオンの吹出し位置以外は、美顔器１０２のＬＥＤ照射部３は、前記実施形態１の美顔器１０１と同じである。
【００３８】
美顔器１０２は、図６に示すように、筐体１の上端部側のＬＥＤ照射部３におけるＬＥＤ３１の設置範囲外にイオンを吹き出すための開口部３ａが形成されている。なお、図６に示すＬＥＤ照射部３の開口部３ａは、一つであり、前記実施形態１の美顔器１０１の開口部３ａのように２つではない。この場合、前記実施形態１でも説明したが、送風路５３内でプラスイオン、マイナスイオンの送風路が分けられていれば、排出先の開口部３ａは一つであっても、プラスイオン、マイナスイオンが混合されることによりイオン量の低下は少ない。
【００３９】
また、ＬＥＤ照射部３において目に対応する位置（前記実施形態１のＬＥＤ照射部３では開口部３ａが形成された位置）には、何れのＬＥＤ３１も配置されない。
【００４０】
イオン発生装置５は、前記実施形態１のイオン発生装置４と同様に、シロッコファンからなる送風ファン５１、プラスイオンとマイナスイオンを発生するイオン発生部５２、イオン発生部５２の２つの電極５２ａで発生したプラスイオンおよびマイナスイオンを送風ファン５１からの風に乗せて運ぶ送風路５３を有する。
【００４１】
送風路５３は、前記実施形態１のイオン発生装置４の送風路４３と異なり、筐体１の上端部に形成されたＬＥＤ照射部３の開口部３ａに排出口５３ａが連通するように、筐体１の背面１ｂの上端まで延設されている。また、送風路５３は、イオン発生部５２の電極５２ａよりも風の流れの下流側（イオン排出側）で、送風路が２つに分離されている。つまり、イオン発生部５２の電極５２ａで発生したプラスイオンを送風するプラスイオン用送風路と、マイナスイオンを送風するマイナスイオン用送風路とを分離して設けている。そして、ＬＥＤ照射部３の１つの開口部３ａからは、それぞれ異なる極性のイオンが排出される。なお、プラスイオン用送風路とマイナスイオン用送風路をそれぞれ排出口５３ａまで伸ばしてもよい。
【００４２】
上記構成の美顔器１０２によれば、当該美顔器１０２の使用者の顔の上部から下部に向かってイオンが吹き付けられるようになるため、イオンが顔全体に当たるようになる。これにより、顔への保湿効果をさらに高めることができる。
【００４３】
なお、排出口５３ａは水平方向を向いていてもよいが、排出口５３ａは、やや下方向に向いていることが好ましい。排出口５３ａがやや下方向に向いていることで、排出口５３ａから吹き出されたイオンを含む風は、顔に沿って下方に流れやすくなる。これにより、排出口５３ａが水平方向に向いている場合に比して、顔のより広い範囲にイオンを含む風がいきわたりやすい。また、吹出されたイオンの一部は髪の毛の方にも向かうため、髪の毛の静電気を抑制することもできる。
【００４４】
なお、前記実施形態１，２では、イオン発生装置４の送風ファンとして、シロッコファンを用いた例について説明したが、送風ファンはシロッコファンに限定されるものではなく、例えば、プロペラファンやクロスフローファンなど他のファンであってもよい。以下の実施形態３では、イオン発生装置４の送風ファンとしてプロペラファンを用いた例について説明する。
【００４５】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００４６】
（美顔器の概要）
図８は、本発明の実施形態３に係る美顔器１０３の斜視図である。図９は、図８に示す美顔器１０３の（ａ）は正面図、（ｂ）は側面図、（ｃ）は上面図、（ｄ）は（ａ）のＺ２Ｚ２線矢視断面図、（ｅ）は（ａ）のＺ３Ｚ３線矢視断面図である。
【００４７】
美顔器１０３は、前記実施形態１の美顔器１０１とほぼ同じ構成であるが、イオン発生装置６に用いられる送風ファンの種類が異なる。すなわち、イオン発生装置６以外は、美顔器１０２は、前記実施形態１の美顔器１０１と同じである。
【００４８】
イオン発生装置６は、プロペラファンからなる送風ファン６１、プラスイオンとマイナスイオンを発生するイオン発生部６２、イオン発生部６２の２つの電極６２ａで発生したプラスイオンおよびマイナスイオンを送風ファン６１からの風に乗せて運ぶ送風路６３を有する。
【００４９】
（イオン発生装置６）
図１０は、図８に示す美顔器１０３に備えられたイオン発生装置６の外観を示す斜視図である。図１１は、図１０に示すイオン発生装置６の（ａ）は上面図、（ｂ）は正面図である。
【００５０】
イオン発生装置６は、送風路６３を２つに分岐させた分岐路６３ｂ・６３ｂを有する。分岐路６３ｂ・６３ｂそれぞれの排出口６３ａ・６３ａは、それぞれＬＥＤ照射部３の開口部３ａ・３ａに連通している。ここで、イオン発生装置６の送風ファン６１はプロペラファンからなるため、送風方向が筐体１の背面１ｂに対して直交する方向になる。このため、美顔器１０３の全体のバランスを考慮した場合、送風路６３の全長をできるだけ短くする必要がある。このため、送風路６３の分岐路６３ｂ・６３ｂも短くなる。それぞれの分岐路６３ｂ・６３ｂには、図９の（ｅ）に示すように、イオン発生部６２の電極６２ａ・６２ａがそれぞれ含まれる。これにより、２つの分岐路６３ｂ・６３ｂの一方がプラスイオン送付用、他方がマイナスイオン送風用として機能する。
【００５１】
上記構成の美顔器１０３において、イオン発生装置６の送風ファン６１にプロペラファンが用いられることで、シロッコファンに比べて静粛性が高くなる。従って、美顔器１０３は、静粛性が必要とされる場所で美顔器１０３を使用するのが好ましい。例えばイオン発生装置６を寝室に置き、就寝中に顔などの保湿を行うようにすることが考えられる。
【００５２】
美顔器１０３を寝室に置いた場合、当該美顔器１０３を目覚ましとして機能させることも可能である。例えば、ＬＥＤ照射部３の発光のさせ方として以下の方法がある。
【００５３】
（１）明るさで目覚めさせる点灯：ＬＥＤ照射部３の全てのＬＥＤ３１をフル点灯して照度を上げることで目覚めさせる。
【００５４】
（２）波長で目覚めさせる点灯：ＬＥＤ照射部３のＬＥＤ３１ａ、ＬＥＤ３１ｂを点灯させた短波長の光を利用して脳を活性化させる。
【００５５】
ＬＥＤ照射部３は、ＬＥＤ３１の配光角が狭く制御されているので、同じ部屋に寝ている他の人に影響を与え難い目覚ましとなる。
【００５６】
さらに、同じ部屋に寝ている人を起こす心配がない場所で、美顔器１０１を目覚ましとして機能させるには、ＬＥＤ３１の点灯に加えて、目覚まし用の音を出すようにしてもよい。
【００５７】
なお、前記実施形態１〜３の美顔器１０１〜１０３において、送風ファンの風量を可変としてもよい。
【００５８】
また、前記実施形態１〜３では、本発明の電気機器として、帯電粒子発生装置を備える美顔器について説明したが、帯電粒子発生装置を有する鏡であってもよい。このように、鏡が帯電粒子発生装置を有する場合、当該鏡の上方に帯電粒子の吹出口を設ければよい。
【００５９】
つまり、本願発明では、顔に対向させて使用する電気機器であって、顔に対向する対向面（筐体１の正面１ａ）を有する顔対向部（筐体１）と、前記対向面側から帯電粒子（例えばプラスイオン、マイナスイオン）を放出する帯電粒子発生装置（イオン発生装置４）と、を備えていれば、どのような電気機器であってもよい。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
１  筐体
１ａ  正面
１ｂ  背面
２  脚部
３  ＬＥＤ照射部
３ａ・３ａ  開口部
４，５，６  イオン発生装置（帯電粒子発生装置）
３１，３１ａ，３１ｂ，３１ｃ，３１ｄ  ＬＥＤ
４１  送風ファン
４２，５２，６２  イオン発生部
４２ａ，５２ａ，６２ａ  電極
４３，５３，６３  送風路
４３ａ，５３ａ，６３ａ  排出口
６３ｂ  分岐路
１０１,１０２，１０３  美顔器
【図１】
2020146164.tif 000003
【図２】
2020146164.tif 000004
【図３】
2020146164.tif 000005
【図４】
2020146164.tif 000006
【図５】
2020146164.tif 000007
【図６】
2020146164.tif 000008
【図７】
2020146164.tif 000009
【図８】
2020146164.tif 000010
【図９】
2020146164.tif 000011
【図１０】
2020146164.tif 000012
【図１１】
2020146164.tif 000013